(57)【要約】【課題】  携帯電話、ＰＨＳなどの携帯端末において、利用者が情報を入力する際の入力支援を行う、情報入力支援システムを提供することを目的とする。【解決手段】  パラメータに対応する情報を記憶する情報記憶部と、ウェブサイト識別情報と携帯端末またはその利用者を識別する情報とをパラメータ管理サーバに渡すことにより、ウェブサイトのページで使用されるパラメータを取得するパラメータ取得部と、取得したパラメータに対応する情報を情報記憶部から抽出する情報抽出部と、抽出した情報を含めた画面を携帯端末で表示する表示部と、表示した画面に示された情報のうち、パラメータに対応する情報をウェブサーバに送信する情報送信部と、を有する情報入力支援システムである。【選択図】  図１
2007328578.tif 000002
【特許請求の範囲】
【請求項１】
携帯端末における情報入力支援システムであって、前記情報入力支援システムは、ウェブサイトを識別する識別情報と前記ウェブサイトのページで使用されるパラメータとを対応づけたパラメータ管理サーバと情報の送受信が可能であり、
前記情報入力支援システムは、
前記パラメータに対応する情報を記憶する情報記憶部と、
前記ウェブサイト識別情報と前記携帯端末またはその利用者を識別する情報とを前記パラメータ管理サーバに渡すことにより、前記ウェブサイトのページで使用されるパラメータを取得するパラメータ取得部と、
前記取得したパラメータに対応する情報を前記情報記憶部から抽出する情報抽出部と、
前記抽出した情報を含めた画面を前記携帯端末で表示する表示部と、
前記表示した画面に示された情報のうち、前記パラメータに対応する情報を前記ウェブサーバに送信する情報送信部と、
を有することを特徴とする情報入力支援システム。
【請求項２】
前記情報入力支援システムは、更に、
前記情報送信部で前記ウェブサーバに送信する情報のうち、前記情報記憶部においてまだ記憶されていない情報を、その情報に対応するパラメータと対応づけて前記情報記憶部に記憶する情報更新部、
を有することを特徴とする請求項１に記載の情報入力支援システム。
【請求項３】
前記情報入力支援システムは、更に、
前記情報入力支援システムを前記携帯端末で起動させる起動部を有する、
ことを特徴とする請求項１または請求項２に記載の情報入力支援システム。
【請求項４】
前記パラメータ取得部は、更に、
所定の認証方法による認証許可の判定後、前記ウェブサイト識別情報と前記携帯端末またはその利用者を識別する情報とを前記パラメータ管理サーバに渡すことにより、前記ウェブサイトで使用されるパラメータを取得する、
ことを特徴とする請求項１に記載の情報入力支援システム。
【請求項５】
パラメータに対応する情報が記憶されている記憶装置を備える携帯端末は、ウェブサイトを識別する識別情報と前記ウェブサイトで使用されるパラメータとを対応づけたパラメータ管理サーバと情報の送受信が可能であり、
前記携帯端末を、
前記ウェブサイト識別情報と前記携帯端末またはその利用者を識別する情報とを前記パラメータ管理サーバに渡すことにより、前記ウェブサイトのページで使用されるパラメータを取得するパラメータ取得部、
前記取得したパラメータに対応する情報を前記記憶装置から抽出する情報抽出部、
前記抽出した情報を含めた画面を前記携帯端末の表示装置で表示する表示部、
前記表示した画面に示された情報のうち、前記パラメータに対応する情報を前記ウェブサーバに送信する情報送信部、
として機能させるための情報入力支援プログラム。
【請求項６】
前記情報入力支援プログラムは、更に、
前記情報送信部で前記ウェブサーバに送信する情報のうち、前記記憶装置においてまだ記憶されていない情報を、その情報に対応するパラメータと対応づけて前記記憶装置に記憶する情報更新部、
を有することを特徴とする請求項５に記載の情報入力支援プログラム。
【請求項７】
前記情報入力支援プログラムは、更に、
前記情報入力支援プログラムを前記携帯端末の演算装置に読み込ませることにより起動させる起動部を有する、
ことを特徴とする請求項５または請求項６に記載の情報入力支援プログラム。
【請求項８】
前記パラメータ取得部は、更に、
所定の認証方法による認証許可の判定後、前記ウェブサイト識別情報と前記携帯端末またはその利用者を識別する情報とを前記パラメータ管理サーバに渡すことにより、前記ウェブサイトで使用されるパラメータを取得する、
ことを特徴とする請求項５に記載の情報入力支援プログラム。
【発明の詳細な説明】
【技術分野】
【０００１】
本発明は、携帯電話、ＰＨＳなどの携帯端末において、利用者が情報を入力する際の入力支援を行う、情報入力支援システムに関する。
【背景技術】
【０００２】
過去に個人情報などの情報の入力を行ったことがあるウェブサイトに、そのウェブサイトの利用者が再度同じような情報の入力を行う場合には、同じ情報の入力を行わなくても良いように、Ｃｏｏｋｉｅと呼ばれる方法を用い、情報の入力を省略出来るようになっている。
【０００３】
しかし携帯端末ではＣｏｏｋｉｅと呼ばれる方法は採用されておらず、通常は再度同じ情報を入力しなければならなかった。その為、特に、携帯端末の場合には入力の負担が生じている。
【０００４】
そこで下記特許文献１に示すように、ネットワーク上の特定のサーバに個人情報などの情報を予め登録しておき、携帯端末から情報の入力を行う必要があるウェブサイトにアクセスした場合には、携帯端末がそのサーバから情報を取得することで、同じ情報の入力を省略することが出来る発明が開示されている。
【０００５】
【特許文献１】特開２００３−３４５７３９号公報
【発明の開示】
【発明が解決しようとする課題】
【０００６】
上述の特許文献１の発明の場合、利用者の個人情報などの情報が、ネットワーク上の特定のサーバで管理されている。そして、複数の利用者の個人情報等の情報を管理しているため、このサーバの管理者が悪意を持った場合に、同時に複数の利用者の情報が容易に漏洩しかねない。またサーバの管理者が悪意を持っていなくても、外部のクラッカーなどから攻撃を受け、情報が漏洩する危険性もある。そしてこの場合にも同時に複数の利用者の情報が漏洩してしまう。
【課題を解決するための手段】
【０００７】
そこで本発明者は、上記問題点に鑑み、携帯端末の利用者の情報入力の支援を実現しながら、従来よりもセキュリティ性の高い情報入力支援システムを発明した。
【０００８】
請求項１の発明は、携帯端末における情報入力支援システムであって、前記情報入力支援システムは、ウェブサイトを識別する識別情報と前記ウェブサイトのページで使用されるパラメータとを対応づけたパラメータ管理サーバと情報の送受信が可能であり、前記情報入力支援システムは、前記パラメータに対応する情報を記憶する情報記憶部と、前記ウェブサイト識別情報と前記携帯端末またはその利用者を識別する情報とを前記パラメータ管理サーバに渡すことにより、前記ウェブサイトのページで使用されるパラメータを取得するパラメータ取得部と、前記取得したパラメータに対応する情報を前記情報記憶部から抽出する情報抽出部と、前記抽出した情報を含めた画面を前記携帯端末で表示する表示部と、前記表示した画面に示された情報のうち、前記パラメータに対応する情報を前記ウェブサーバに送信する情報送信部と、を有する情報入力支援システムである。
【０００９】
本発明によって、携帯端末においてもＣｏｏｋｉｅを用いるのと同様に、利用者の情報入力の支援を実現することが出来る。また従来のように、利用者の情報を特定のサーバ上で管理しないので、セキュリティ性の高い情報入力支援システムが可能となる。
【００１０】
請求項２の発明において、前記情報入力支援システムは、更に、前記情報送信部で前記ウェブサーバに送信する情報のうち、前記情報記憶部においてまだ記憶されていない情報を、その情報に対応するパラメータと対応づけて前記情報記憶部に記憶する情報更新部、を有する情報入力支援システムである。
【００１１】
本発明によって、パラメータに対応づけられた情報が逐次更新されていく。これによりウェブサイトを一度利用することによって、携帯端末に情報が登録されれば、次回以降もその情報を入力せずに利用することが出来る。
【００１２】
請求項３の発明において、前記情報入力支援システムは、更に、前記情報入力支援システムを前記携帯端末で起動させる起動部を有する、情報入力支援システムである。
【００１３】
本発明のように、常にシステムを起動させておくのではなく、必要に応じて起動させることが好ましい。
【００１４】
請求項４の発明において、前記パラメータ取得部は、更に、所定の認証方法による認証許可の判定後、前記ウェブサイト識別情報と前記携帯端末またはその利用者を識別する情報とを前記パラメータ管理サーバに渡すことにより、前記ウェブサイトで使用されるパラメータを取得する、情報入力支援システムである。
【００１５】
パラメータとそれに対応づけられた情報がＩＤやパスワードなどの場合には、携帯端末の使用者が誰でも本発明を利用できてしまうのは好ましくない。そこで所定の認証方法によって認証処理を行った後に、パラメータ管理サーバからそのウェブサイトで使用されるパラメータの取得を行うように構成すると良い。これによって、携帯端末の真の利用者のみが本発明の機能を利用することが出来る。また一度利用したウェブサイトであれば、携帯端末にウェブサイトを利用するためのＩＤとパスワードが携帯端末に記憶されるので、利用者は、最初の認証方法のパスワードなどを記憶しておくのみで、ウェブサイトへのアクセスが可能となる。
【００１６】
請求項５の発明は、パラメータに対応する情報が記憶されている記憶装置を備える携帯端末は、ウェブサイトを識別する識別情報と前記ウェブサイトで使用されるパラメータとを対応づけたパラメータ管理サーバと情報の送受信が可能であり、前記携帯端末を、前記ウェブサイト識別情報と前記携帯端末またはその利用者を識別する情報とを前記パラメータ管理サーバに渡すことにより、前記ウェブサイトのページで使用されるパラメータを取得するパラメータ取得部、前記取得したパラメータに対応する情報を前記記憶装置から抽出する情報抽出部、前記抽出した情報を含めた画面を前記携帯端末の表示装置で表示する表示部、前記表示した画面に示された情報のうち、前記パラメータに対応する情報を前記ウェブサーバに送信する情報送信部、として機能させるための情報入力支援プログラムである。
【００１７】
本発明の情報入力支援プログラムを携帯端末で実行することによって、情報入力支援システムを実現できる。これによって、携帯端末においてもＣｏｏｋｉｅを用いるのと同様に、利用者の情報入力の支援を実現することが出来る。また従来のように、利用者の情報を特定のサーバ上で管理しないので、セキュリティ性の高い情報入力支援システムが可能となる。
【００１８】
請求項６の発明において、前記情報入力支援プログラムは、更に、前記情報送信部で前記ウェブサーバに送信する情報のうち、前記記憶装置においてまだ記憶されていない情報を、その情報に対応するパラメータと対応づけて前記記憶装置に記憶する情報更新部、を有する情報入力支援プログラムである。
【００１９】
上述の発明において、本発明のような構成を採ることで、パラメータに対応づけられた情報が逐次更新されていく。これによりウェブサイトを一度利用することによって、携帯端末に情報が登録されれば、次回以降もその情報を入力せずに利用することが出来る。
【００２０】
請求項７の発明において、前記情報入力支援プログラムは、更に、前記情報入力支援プログラムを前記携帯端末の演算装置に読み込ませることにより起動させる起動部を有する、情報入力支援プログラムである。
【００２１】
本発明のように、常にシステムを起動させておくのではなく、必要に応じて起動させることが好ましい。
【００２２】
請求項８の発明において、前記パラメータ取得部は、更に、所定の認証方法による認証許可の判定後、前記ウェブサイト識別情報と前記携帯端末またはその利用者を識別する情報とを前記パラメータ管理サーバに渡すことにより、前記ウェブサイトで使用されるパラメータを取得する、情報入力支援プログラムである。
【００２３】
パラメータとそれに対応づけられた情報がＩＤやパスワードなどの場合には、携帯端末の使用者が誰でも本発明を利用できてしまうのは好ましくない。そこで所定の認証方法によって認証処理を行った後に、パラメータ管理サーバからそのウェブサイトで使用されるパラメータの取得を行うように構成すると良い。これによって、携帯端末の真の利用者のみが本発明の機能を利用することが出来る。また一度利用したウェブサイトであれば、携帯端末にウェブサイトを利用するためのＩＤとパスワードが携帯端末に記憶されるので、利用者は、最初の認証方法のパスワードなどを記憶しておくのみで、ウェブサイトへのアクセスが可能となる。
【発明の効果】
【００２４】
本発明では利用者の個人情報などの情報が、ネットワーク上のサーバではなく、各利用者の携帯端末で管理されている。その為、従来のように、同時に複数の利用者の情報が漏洩する可能性がない。また各情報のタグ付けを、複数のウェブサイトで共通とすることによって、どのウェブサイトの情報であっても情報の入力を容易に可能とならしめる。
【発明を実施するための最良の形態】
【００２５】
本発明の情報入力支援システム１のシステム構成の概念図の一例を図１に、それを実現する携帯端末のハードウェア構成の概念図の一例を図２に示す。
【００２６】
本発明の情報入力支援システム１は、その機能を実現するプログラムが携帯端末上で実行されることによって構成される。この携帯端末には、プログラムの演算処理を実行するＣＰＵなどの演算装置２０と、情報を記憶するＲＡＭなどの記憶装置２１と、演算装置２０の処理結果や記憶装置２１に記憶する情報をインターネットなどのネットワークを介して送受信する通信装置２４、ディスプレイなどの表示装置２２、テンキーなどの入力装置２３、を有している。携帯端末で実現する各機能（各手段）は、その処理を実行する手段（プログラムやモジュールなど）が演算装置２０に読み込まれることでその処理が実行される。各機能は、記憶装置２１に記憶した情報をその処理において使用する場合には、該当する情報を当該記憶装置２１から読み出し、読み出した情報を適宜、演算装置２０における処理に用いる。
【００２７】
本発明における各機能（各手段）は、その機能が論理的に区別されているのみであって、物理上あるいは事実上は同一の領域を為していても良い。
【００２８】
情報入力支援システム１は、利用者の情報を渡すウェブサーバ３と、パラメータを取得するためのパラメータ管理サーバ２と、ネットワークを介して情報の送受信が可能である。
【００２９】
情報入力支援システム１は、起動部４とパラメータ取得部５と情報抽出部６と情報記憶部７と表示部８と情報送信部９と情報更新部１０とを有している。
【００３０】
起動部４は、利用者が携帯端末で所定の操作を行うことによってウェブサーバ３にアクセスし、ウェブサーバ３のサイトで情報の入力を行うことを選択した場合に、本発明の情報入力支援システム１を実現するために所定のプログラムを演算装置２０などで起動する。この起動部４での起動によって、本発明の情報入力支援システム１が携帯端末で実行される。
【００３１】
パラメータ取得部５は、起動部４で起動後、当該ウェブサイトで必要な情報を示すパラメータを、パラメータ管理サーバ２から取得する。この際に、ウェブサイトを識別する情報（例えばＵＲＬやサイト名など）と、携帯端末またはその利用者を識別する情報（電話番号や携帯端末の個体識別番号など）とを併せて渡すことで、必要な情報を示すパラメータを、パラメータ管理サーバ２から取得する。
【００３２】
情報抽出部６は、パラメータ取得部５で取得したパラメータに対応する情報を、情報記憶部７から抽出する。
【００３３】
情報記憶部７は、携帯端末の記憶装置２１に、パラメータとそれに対応する情報とを記憶する。図２２に情報記憶部７を模式的に示す。
【００３４】
表示部８は、情報抽出部６が抽出した情報を含めた画面を携帯端末で表示する。
【００３５】
情報送信部９は、表示部８で表示した画面に示された情報を、ウェブサーバ３に送信する。
【００３６】
情報更新部１０は、情報送信部９でウェブサーバ３に送信する情報のうち、情報記憶部７において、パラメータとそれに対応する情報とが記憶されていない場合に、それらを対応づけて情報記憶部７に記憶させる。
【００３７】
パラメータ管理サーバ２は、携帯端末から入力を受け付ける情報に対応するパラメータを管理する。パラメータ管理サーバ２では、図２１に模式的に示すように、ウェブサイトを識別する情報と、そのウェブサイトで使用されるパラメータとが対応づけて管理されている。このように各ウェブサイトにおいて情報の入力を受け付ける場合に、パラメータ管理サーバ２で管理しているパラメータを用いることによって、複数のウェブサイトで共通のパラメータとすることが出来る。そしてこのパラメータ管理サーバ２に対応したウェブサイトを携帯端末の利用者が閲覧する場合には、本発明の情報入力支援システム１による情報の入力支援を受けることが出来る。またパラメータ管理サーバ２において、各ウェブサイトで使用されるパラメータを図４に示すような画面から、適宜設定可能とする。
【００３８】
ウェブサーバ３は、個人情報などの情報を携帯端末から受け付け、何らかのサービス、例えばアンケート、プレゼントの応募、商品の購入、ウェブサイトへのログインなどを携帯端末の利用者に提供するコンテンツのサーバである。
【実施例１】
【００３９】
本発明の情報入力支援システム１の実施態様の一例を図３のフローチャート、図１の概念図とを用いて説明する。
【００４０】
まずウェブサイトで、携帯端末の利用者から情報の入力を受け付ける場合には、ウェブサイトの管理者は、どのような情報の入力を受け付けるかを予め図４に示すような画面から設定をしておく。
【００４１】
例えばウェブサイトで、携帯端末の利用者から受け付ける情報として、「名前（漢字）」、「名前（フリガナ）」、「電話番号」、「メールアドレス」を選択する場合には、それを受け付けることを選択し（図４の場合には、チェックボックスをチェックし）、更新する。そうするとこの情報をパラメータ管理サーバ２で受け付け、当該ウェブサイトで必要な情報のパラメータとして、「名前（漢字）」、「名前（フリガナ）」、「電話番号」、「メールアドレス」の各パラメータが設定される。例えば「名前（漢字）」を示すパラメータが「name_kanji」「名前（フリガナ）」を示すパラメータが「name_kana」、「電話番号」を示すパラメータが「TEL」、「メールアドレス」を示すパラメータが「mail」であった場合、当該ウェブサイトで使用するパラメータとして、「name_kanji」、「name_kana」、「TEL」、「mail」が、ウェブサイトを識別する情報と共にパラメータ管理サーバ２で記憶される。パラメータ管理サーバ２で記憶される情報を模式的に図２１に示す。
【００４２】
携帯端末の利用者が、携帯端末で所定の操作をすることにより、ウェブサーバ３にアクセスし、図５に示すようなページにアクセスしたとする。そして「個人情報入力」を選択することによって、携帯端末の利用者の個人情報を入力するページにアクセスすることとなる（Ｓ１００）。
【００４３】
このページが選択されたことをウェブサーバ３で受け付けると、ウェブサーバ３から携帯端末に対して、情報入力支援システム１のプログラムの起動指示が出され、情報入力支援システム１を実現するプログラムが携帯端末の記憶装置２１から読み出されて演算装置２０に読み込まれる。そして情報入力支援システム１が携帯端末で起動する（Ｓ１１０）。
【００４４】
情報入力支援システム１が起動すると、パラメータ取得部５は、ウェブサイトの当該ページで使用するパラメータの取得要求とウェブサイトを識別する情報とを、パラメータ管理サーバ２に渡す。
【００４５】
パラメータ管理サーバ２では、携帯端末からパラメータの取得要求とウェブサイトを識別する情報とを受け取ると、ウェブサイトを識別する情報に基づいて、そのウェブサイトのページで使用するパラメータを検索し、そのパラメータを携帯端末に渡す。例えば上述の場合、パラメータとして「name_kanji」、「name_kana」、「TEL」、「mail」が携帯端末に渡される。
【００４６】
携帯端末はパラメータ管理サーバ２から、当該ウェブサイトのページで使用するパラメータを取得すると（Ｓ１２０）、情報抽出部６は、そのパラメータに対応する情報が情報記憶部７に記憶されているかを検索し、パラメータに対応する情報がある場合にはその情報を情報記憶部７から抽出する（Ｓ１３０）。
【００４７】
上述の場合には、「name_kanji」、「name_kana」、「TEL」、「mail」の各パラメータに対応する情報が情報記憶部７に存在するかどうかを検索し、パラメータに対応する情報がある場合にはその情報を情報記憶部７から抽出することとなる。例えばパラメータ「name_kanji」に対応する情報として「名前２」が情報記憶部７に存在した場合には（図２２参照）、「名前２」を情報記憶部７から抽出する。
【００４８】
そしてパラメータと、それに対応する情報がある場合には入力欄にその情報をフィルインして、当該ウェブサイトのページを携帯端末の表示装置２２で表示する（Ｓ１４０）。上述の場合、パラメータ「name_kanji」に対応する情報として「名前２」という情報が情報記憶部７に存在したので、「name_kanji」の情報の入力欄に「名前２」を表示し、対応する情報が存在しないパラメータの入力欄には空欄のまま、表示する。この状態の画面を図６に示す。
【００４９】
なおパラメータに対応する情報が複数ある場合には、それを示す情報（図６では「名前（漢字）」の横の「・・」のボタン）を選択することによって、パラメータに対応づけられた複数の情報の中から一つの情報を選択できるようにしても良い。この状態の画面を図７に示す。
【００５０】
そしてウェブサイトのページの入力欄のうち、情報がフィルインされなかった入力欄について、必要に応じて利用者が情報の入力を行い、その入力を受け付ける（Ｓ１６０）。例えば図６の画面において、「名前（フリガナ）」として「ナマエ２」、「電話番号」として「０３１２３４５６７８」、「メールアドレス」として「aaa@aaa.co.jp」の情報の入力を受け付けたとする。
【００５１】
そして、当該ページのウェブサーバ３へ入力した情報を送信するボタンを利用者が押下することによって、入力された情報を情報送信部９がウェブサーバ３に渡す（Ｓ１７０）。これらの情報をウェブサーバ３で受け付けることによって、ウェブサーバ３は情報を取得することが出来る。上述の場合、「名前２」、「ナマエ２」、「０３１２３４５６７８」、「aaa@aaa.co.jp」を情報送信部９がウェブサーバ３に渡し、ウェブサーバ３はそれらを取得する。
【００５２】
また情報記憶部７にまだ記憶されていない、パラメータに対応づけられた情報について、情報更新部１０が情報記憶部７に記憶する（Ｓ１８０）。上述の場合、追加した情報として「名前（フリガナ）」、「電話番号」、「メールアドレス」があるので、パラメータ「name_kana」に対応づけて「ナマエ２」、パラメータ「TEL」に対応づけて「０３１２３４５６７８」、パラメータ「mail」に対応づけて「aaa@aaa.co.jp」の各情報を、各パラメータと対応づけて情報記憶部７に情報更新部１０が記憶する。この状態の情報記憶部７を図２３に示す。
【００５３】
このような処理を行うことで、逐次、情報が更新されていく。またパラメータを各ウェブサイトで共通化することによって、つまり各ウェブサイトが、パラメータ管理サーバ２で定めた各情報に対して割り当てたパラメータを使用することによって、利用者は複数のウェブサイトで情報の入力支援を受け付けることが出来る。
【実施例２】
【００５４】
次に本発明の情報入力支援システム１がテレビショッピング番組と連動しており、商品の購入を行う場合を説明する。この場合、携帯端末で受信可能なワンセグと呼ばれるテレビショッピング番組と連動した場合を示す。
【００５５】
携帯端末において、図８に示すようなテレビショッピング番組を受信しているとする。そして番組の進行に伴い、図９に示すように、番組で紹介した商品の購入を行える画面が携帯端末で表示されたとする（Ｓ１００）。
【００５６】
ここで情報入力支援システム１を用いて情報の入力を省略した上で購入を行う場合には、「クッキーアプリで購入する」ボタンを押下することによって、起動部４が情報入力支援システム１を起動する（Ｓ１１０）。これによって、パラメータ取得部５が、当該ウェブサイトのページで使用されるパラメータをパラメータ管理サーバ２から取得する（Ｓ１２０）。そして情報抽出部６が、当該パラメータに対応する情報が情報記憶部７に存在するかどうかを検索し、存在する場合にはその情報を抽出して（Ｓ１３０）、表示部８が画面で表示する（Ｓ１４０）。
【００５７】
例えば使用するパラメータとして「名前」、「住所」、「メールアドレス」、「電話番号」、「年齢」、「クレジットカード番号」などのパラメータを取得している場合には、それらパラメータに対応する情報が情報記憶部７に存在するかどうかを検索し、存在した情報をフィルインして画面に表示する。この画面を図１０に示す。図１０では「クレジットカード番号」以外のパラメータが情報記憶部７に存在していた場合である。
【００５８】
従って、利用者は携帯端末で所定の操作をすることによって「クレジットカード番号」を入力し（Ｓ１５０、Ｓ１６０）、その送信する情報の内容の確認を行う。この画面を図１１に示す。図１１の確認画面で「送信」ボタンを押下することによって、情報送信部９が、当該ウェブサイトのページに入力した情報をウェブサーバ３に渡す（Ｓ１７０）。
【００５９】
そして情報更新部１０が、情報記憶部７に記憶していなかったパラメータ「クレジットカード番号」に対応する情報を、入力を受け付けた情報で当該パラメータ「クレジットカード番号」と対応づけて情報記憶部７に記憶させる（Ｓ１８０）。
【００６０】
このような処理をすることによって、ウェブサーバ３では、商品購入するのに必要な利用者の情報を取得することが出来る。
【実施例３】
【００６１】
次にウェブサイトからアンケートの入力を行う場合を説明する。利用者の携帯端末では図１２に示すようなアンケートの入力を行う為の画面を表示するための画面が表示されている。図１２の画面の「クッキーアプリを使う」ボタンを押下することによって、起動部４が情報入力支援システム１を起動する（Ｓ１１０）。これによって、パラメータ取得部５が、当該ウェブサイトのページで使用されるパラメータをパラメータ管理サーバ２から取得する（Ｓ１２０）。そして情報抽出部６が、当該パラメータに対応する情報が情報記憶部７に存在するかどうかを検索し、存在する場合にはその情報を抽出して（Ｓ１３０）、表示部８が画面で表示する（Ｓ１４０）。
【００６２】
例えば使用するパラメータとして「名前」、「住所」、「メールアドレス」、「電話番号」、「年齢」などのパラメータを取得している場合には、それらパラメータに対応する情報が情報記憶部７に存在するかどうかを検索し、存在した情報をフィルインして画面に表示する。この画面を図１３に示す。図１３ではこのウェブサイトのページで使用する全てのパラメータの情報が情報記憶部７に存在した場合である。
【００６３】
そして利用者は携帯端末で所定の操作をすることによって、送信する情報の内容を確認を行う。この画面を図１４に示す。図１４の確認画面で「送信」ボタンを押下することによって、情報送信部９が、当該ウェブサイトのページに入力した情報をウェブサーバ３に渡す（Ｓ１７０）。
【００６４】
本実施例の場合、当該ウェブサイトのページで使用するパラメータのうち、そのパラメータに対応づけられた情報の全てが情報記憶部７に記憶されていたので、情報更新部１０は情報記憶部７に新たな情報の追加を行わなくても良い。
【実施例４】
【００６５】
次にウェブサイトからプレゼントの応募を行う場合を説明する。利用者の携帯端末では図１５に示すようなプレゼントの応募を行うための画面が表示されている。図１５の画面の「クッキーアプリを使う」ボタンを押下することによって、起動部４が情報入力支援システム１を起動する（Ｓ１１０）。これによって、パラメータ取得部５が、当該ウェブサイトのページで使用されるパラメータをパラメータ管理サーバ２から取得する（Ｓ１２０）。そして情報抽出部６が、当該パラメータに対応する情報が情報記憶部７に存在するかどうかを検索し、存在する場合にはその情報を抽出して（Ｓ１３０）、表示部８が画面で表示する（Ｓ１４０）。
【００６６】
例えば使用するパラメータとして「名前」、「住所」、「メールアドレス」、「電話番号」、「年齢」などのパラメータを取得している場合には、それらパラメータに対応する情報が情報記憶部７に存在するかどうかを検索し、存在した情報をフィルインして画面に表示する。この画面を図１６に示す。図１６ではこのウェブサイトのページで使用する全てのパラメータの情報が情報記憶部７に存在した場合である。
【００６７】
そして利用者は携帯端末で所定の操作をすることによって、送信する情報の内容を確認を行う。この画面を図１７に示す。図１７の確認画面で「送信」ボタンを押下することによって、情報送信部９が、当該ウェブサイトのページに入力した情報をウェブサーバ３に渡す（Ｓ１７０）。
【００６８】
本実施例の場合でも、当該ウェブサイトのページで使用するパラメータのうち、そのパラメータに対応づけられた情報の全てが情報記憶部７に記憶されていたので、情報更新部１０は情報記憶部７に新たな情報の追加を行わなくても良い。
【実施例５】
【００６９】
次にウェブサイトへのログインを行う場合を説明する。利用者の携帯端末では図１８に示すようなログインを行うための画面が表示されている。図１８の画面の「クッキーアプリを使う」ボタンを押下することによって、起動部４が情報入力支援システム１を起動する（Ｓ１１０）。
【００７０】
システム起動後、パラメータ取得部５がパラメータ管理サーバ２からパラメータの取得を行う前に、何らかの認証処理を設けても良い。例えば暗証番号の入力を受け付け、それが一致した場合に、パラメータの取得を行うようにしても良い。図１９では、起動部４が暗証番号の入力を受け付けている。そして暗証番号が一致すると、パラメータ取得部５が、当該ウェブサイトのページで使用されるパラメータをパラメータ管理サーバ２から取得する（Ｓ１２０）。そして情報抽出部６が、当該パラメータに対応する情報が情報記憶部７に存在するかどうかを検索し、存在する場合にはその情報を抽出して（Ｓ１３０）、表示部８が画面で表示する（Ｓ１４０）。
【００７１】
例えば使用するパラメータとして「ログインＩＤ」、「パスワード」などのパラメータを取得している場合には、それらパラメータに対応する情報が情報記憶部７に存在するかどうかを検索し、存在した情報をフィルインして画面に表示する。この画面を図２０に示す。図２０ではこのウェブサイトのページで使用する全てのパラメータの情報が情報記憶部７に存在した場合である。
【００７２】
そして利用者は、図２０の画面で「送信」ボタンを押下することによって、情報送信部９が、当該ウェブサイトのページに入力した情報をウェブサーバ３に渡す（Ｓ１７０）。このような処理を設けることによって、一度登録したウェブサイトには、パラメータを取得するための暗証番号を入力するだけでログインをすることが可能となる。
【００７３】
本実施例の場合でも、当該ウェブサイトのページで使用するパラメータのうち、そのパラメータに対応づけられた情報の全てが情報記憶部７に記憶されていたので、情報更新部１０は情報記憶部７に新たな情報の追加を行わなくても良い。
【産業上の利用可能性】
【００７４】
本発明においては、利用者の個人情報などの情報が、ネットワーク上のサーバではなく、各利用者の携帯端末で管理されている。その為、従来のような同時に複数の利用者の情報が漏洩する可能性がない。また各情報のタグ付けを、複数のウェブサイトで共通とすることによって、どのウェブサイトの情報であっても情報の入力を容易に可能とならしめる。
【図面の簡単な説明】
【００７５】
【図１】本発明のシステム構成の全体の概念図の一例である。
【図２】本発明を機能させる携帯端末のハードウェア構成の一例である。
【図３】本発明の処理プロセスの一例を示すフローチャートである。
【図４】ウェブサイトのページで必要なパラメータを設定する際の画面の一例である。
【図５】携帯端末に表示される画面の一例である。
【図６】パラメータに対応づけられた情報「名前２」がフィルインされた画面の一例である。
【図７】パラメータに対応づけられた情報が複数ある場合に、その情報を選択する画面の一例である。
【図８】本発明をワンセグのテレビショッピング番組に用いる場合に、携帯端末で表示される画面の一例である。
【図９】本発明を用いて情報の入力を行うことを選択する画面の一例である。
【図１０】携帯端末の利用者の情報がフィルインされた画面の一例である。
【図１１】確認の画面の一例である。
【図１２】本発明を用いてアンケートの入力を行うことを選択する画面の一例である。
【図１３】携帯端末の利用者の情報がフィルインされた画面の一例である。
【図１４】確認の画面の一例である。
【図１５】本発明を用いてプレゼントの応募を行うことを選択する画面の一例である。
【図１６】携帯端末の利用者の情報がフィルインされた画面の一例である。
【図１７】確認の画面の一例である。
【図１８】本発明を用いてログインを行うことを選択する画面の一例である。
【図１９】携帯端末の利用者の情報がフィルインされた画面の一例である。
【図２０】確認の画面の一例である。
【図２１】パラメータ管理サーバで記憶する情報を模式的に示す図である。
【図２２】携帯端末の情報記憶部で記憶する情報を模式的に示す図である。
【図２３】情報記憶部で記憶する情報が更新された状態を模式的に示す図である。
【符号の説明】
【００７６】
１：情報入力支援システム
２：パラメータ管理サーバ
３：ウェブサーバ
４：起動部
５：パラメータ取得部
６：情報抽出部
７：情報記憶部
８：表示部
９：情報送信部
１０：情報更新部
２０：演算装置
２１：記憶装置
２２：表示装置
２３：入力装置
２４：通信装置
【図１】
2007328578.tif 000003
【図２】
2007328578.tif 000004
【図３】
2007328578.tif 000005
【図４】
2007328578.tif 000006
【図５】
2007328578.tif 000007
【図６】
2007328578.tif 000008
【図７】
2007328578.tif 000009
【図８】
2007328578.tif 000010
【図９】
2007328578.tif 000011
【図１０】
2007328578.tif 000012
【図１１】
2007328578.tif 000013
【図１２】
2007328578.tif 000014
【図１３】
2007328578.tif 000015
【図１４】
2007328578.tif 000016
【図１５】
2007328578.tif 000017
【図１６】
2007328578.tif 000018
【図１７】
2007328578.tif 000019
【図１８】
2007328578.tif 000020
【図１９】
2007328578.tif 000021
【図２０】
2007328578.tif 000022
【図２１】
2007328578.tif 000023
【図２２】
2007328578.tif 000024
【図２３】
2007328578.tif 000025